(57)【要約】【課題】  表示特性が異なる複数種の端末機に常に最適なＷＥＢページを提供する。【解決手段】  ユーザー５が端末機２を操作してＷＥＢ機能搭載機器３の動作状態を確認、設定するホームネットワークシステム１において、ＷＥＢ機能搭載機器３は端末機２からの受信データに基づきこの端末機２の表示特性を判別し、それに適したトップページを端末機２に表示させる。トップページに画面表示の適否をユーザー５に判断させるインターフェースを設ける。不適当と判断した場合に、別の表示特性をユーザー自身に選択させ、選択された表示特性に適合するページを端末機２に表示させる。適当と判断した場合は、その端末機２の表示特性をアドレスと共にデータベース１２に登録する。【選択図】        図１
2007280315.tif 000002
【特許請求の範囲】
【請求項１】
表示特性が異なる複数種の端末機にＷＥＢページを提供するＷＥＢ機能搭載機器において、端末機から受信したデータに基づいて端末機の表示特性を判別する手段と、判別した表示特性に適合するＷＥＢページを端末機に表示させる手段と、表示されたＷＥＢページの適否をユーザーに判断させる手段と、ユーザーが不適切と判断した場合に別の表示特性をユーザーに選択させる手段と、選択された表示特性に適合するＷＥＢページを端末機に表示させる手段と、ユーザーが適切と判断した場合に端末機の表示特性とアドレスを登録する手段とを備えたことを特徴とするＷＥＢ機能搭載機器。
【発明の詳細な説明】
【技術分野】
【０００１】
本発明は、表示特性が異なる複数種の端末機にＷＥＢページを提供するＷＥＢ機能搭載機器に関する。
【背景技術】
【０００２】
従来、エアコン、冷蔵庫、調光装置等のＷＥＢ機能搭載機器をパソコン、インターネット対応ＴＶ、ＰＤＡ（携帯情報端末）、携帯電話、ゲーム機等の端末機にＬＡＮ接続したホームネットワークシステムが知られている。この種のシステムで、ユーザーが端末機のＷＥＢブラウザを利用し、宅内機器の動作状態を表示または設定する場合、端末機の画面サイズやブラウザの種類が異なるため、従来は、ＷＥＢ機能搭載機器に端末機の機種に応じた複数のＷＥＢページを用意し、ユーザーが自分の端末機に適合するＵＲＬを直接入力して機器にアクセスしていた。しかし、キーボードを備えない携帯電話等では、アクセス時の入力操作にたいへん手間がかかった。
【０００３】
そこで、従来、ＷＥＢ機能搭載機器が端末機からの受信データに基づいてその表示特性を識別し、識別結果に適合するＷＥＢページを端末機に表示させる技術が提案されている。例えば、特許文献１には、端末機から受信したＨＴＴＰプロトコルに付加された発信元データ（ＨＴＴＰ＿ＵＳＥＲ＿ＡＧＥＮＴ）またはプロバイダが付加したソースＩＰアドレスに基づいて発信元端末機の表示特性を識別する方法が記載されている。
【特許文献１】特開２００２−２４４９６６号公報
【発明の開示】
【発明が解決しようとする課題】
【０００４】
ところが、近年、端末機の多様化、小型化、高性能化が進み、通常のパソコンに劣らない表示特性を備えたモバイル型の端末機も登場している。このため、従来の方法によると、ＷＥＢ機能搭載機器が端末機の表示特性を正確に識別することが困難で、例えば、最新のモバイル端末機に不適当なＷＥＢページを提供してしまうという問題点があった。
【０００５】
本発明の目的は、上記課題を解決し、アクセス時の操作を簡略化できるとともに、端末機の表示特性を正確に判別して、常に最適なＷＥＢページを提供することができるＷＥＢ機能搭載機器を提供することにある。
【課題を解決するための手段】
【０００６】
上記の課題を解決するために、本発明のＷＥＢ機能搭載機器は、表示特性が異なる複数種の端末機にＷＥＢページを提供する機能を備え、端末機から受信したデータに基づいて端末機の表示特性を判別する手段と、判別した表示特性に適合するＷＥＢページを端末機に表示させる手段と、表示されたＷＥＢページの適否をユーザーに判断させる手段と、ユーザーが不適切と判断した場合に別の表示特性をユーザーに選択させる手段と、選択された表示特性に適合するＷＥＢページを端末機に表示させる手段と、ユーザーが適切と判断した場合に端末機の表示特性とアドレスを登録する手段とを備えたことを特徴とする。
【０００７】
ここで、ＷＥＢ機能搭載機器としては、前述した家電製品のほか、事務機器や生産機器等を含む事業用電気機器、あるいは、複数台の家電製品や事業用電気機器を集中管理するサーバー機能を備えた機器を挙げることができる。ＷＥＢ機能搭載機器が適用されるシステムは、前述したホームネットワークシステムに限定されず、イントラネットシステムやインターネットシステム、あるいはこれらを統合したシステムなど、端末機とＷＥＢ機能搭載機器との双方向通信を可能にする各種のシステムを例示できる。
【発明の効果】
【０００８】
本発明のＷＥＢ機能搭載機器によれば、受信データに基づいて端末機の表示特性を判別するので、アクセス時におけるユーザーの入力操作を簡略化できる。加えて、判別結果の適否をユーザーに判断させ、不適当な場合に別の表示特性をユーザー自身に選択させるので、最新機種を含む各種端末機の表示特性をより正確に判別して、常に最適なＷＥＢページを端末機に表示させることができる。しかも、機種確認が完了した端末機は、その表示特性が端末固有のＭＡＣアドレスと共に登録されるので、再アクセスした端末機に最適なＷＥＢページを即座に表示させ、ユーザーの利便性を向上させることもできる。
【発明を実施するための最良の形態】
【０００９】
以下、本発明の実施形態を図面に基づいて説明する。図１は本発明のＷＥＢ機能搭載機器の一適用例を示すホームネットワークシステムの構成説明図である。このホームネットワークシステム１は、端末機２とＷＥＢ機能搭載機器３とをＬＡＮ４で接続し、ユーザー５が端末機２を操作してＷＥＢ機能搭載機器３の動作状態を表示したり、設定を変更したりすることができるように構成されている。
【００１０】
端末機２にはパソコン６、インターネット対応ＴＶ７、携帯電話８などが用いられ、それぞれが独自のＷＥＢブラウザを使用し、異なる画面サイズの表示部にＷＥＢページを表示する。ＷＥＢ機能搭載機器３は、端末機２の要求に応じたＷＥＢページの生成、送信等の処理を行うＷＥＢデータ処理部９と、端末機２ごとに異なる複数の表示特性データ（画面サイズ、ＷＥＢブラウザの種類）を格納するテーブル１０と、それぞれの表示特性に適合する複数のＷＥＢページデータを記憶するメモリ１１と、端末機２の機種とＭＡＣアドレスとを関連付けたユーザー情報を登録するデータベース１２とを装備している。
【００１１】
上記構成のホームネットワークシステム１において、次に、ＷＥＢ機能搭載機器３の動作を図２に示すフローチャートに従って説明する。ユーザーは、どの端末機２（パソコン６、ＴＶ７、携帯電話８等）を使用する場合も、最初はトップページのＵＲＬを入力してＷＥＢ機能搭載機器３にアクセスする。ＷＥＢ機能搭載機器３が端末機２からのアクセスを検知すると、ＷＥＢデータ処理部９は、まず、データベース１２のユーザー情報を参照し、発信元の端末機２に固有のＭＡＣアドレスが登録済みであるか否かを判断する（Ｓ１）。
【００１２】
最初のアクセスにつき、ＭＡＣアドレスが未登録である場合、ＷＥＢデータ処理部９は、次に、端末機２から受信したＨＴＴＰプロトコル中のブラウザ情報および画面サイズ情報をテーブル１０の表示特性データと照合して、発信元端末機２の表示特性を判別する（Ｓ２）。次いで、判別した表示特性に適合するトップページをメモリ１１から抽出し、端末機２に送信して表示部の画面に表示させる（Ｓ３）。このトップページには、図３（ａ）に示すように、ユーザーにトップページ１３が適切に表示されているか否かを判断させるボタン形のインターフェース１４が設けられている。そして、ユーザーは適切に表示されている場合に「はい」を、そうでない場合に「いいえ」を選択して、その判断結果をＷＥＢ機能搭載機器３に送信する。
【００１３】
続いて、ＷＥＢデータ処理部９は、端末機２からの受信データに基づいてユーザーの判断結果を確認する（Ｓ４）。ユーザーが不適切と判断した場合は、図３（ｂ）に示すような表示特性選択ページ１５を送信し（Ｓ５）、ユーザー自身に端末機２の画面サイズとブラウザの種類を選択させるメニュ−１６を提供する。次いで、ユーザーによって選択された表示特性に適合する次のページ（図３ａのインターフェース１４を含むページ）をメモリ１１から抽出して端末機２に送信し（Ｓ６）、ユーザーにそのページの適否を判断させる（Ｓ４）。そして、ユーザーが適切と判断した場合に、その端末機２の表示特性とＭＡＣアドレスとを組み合わせてデータベース１２のユーザー情報中に登録する（Ｓ７）。
【００１４】
この実施形態のＷＥＢ機能搭載機器３によれば、発信元端末機２の表示特性を受信データに基づいて自動的に判別するので、ユーザー５は自機の画面サイズやブラウザの種類を意識してＵＲＬを入力する必要がなくなり、簡単な操作でアクセスすることができる。また、ユーザーにトップページ１３の適否を判断させるインターフェース１４と、別の表示特性を選択させるメニュー１６とを提供するため、最新の端末機２でアクセスした場合でも、その端末機２の表示特性に最も適したＷＥＢページを提供することができる。しかも、機種確認が完了した端末機２の表示特性はＭＡＣアドレスと共にデータベース１２に登録されるので、ユーザーが再アクセスしたときに、その登録情報に基づき最適なＷＥＢページを即座に表示させ（Ｓ８）、ユーザー５の利便性を向上させることができる。
【図面の簡単な説明】
【００１５】
【図１】本発明の一実施形態を示すシステムの構成説明図である。
【図２】該システムのＷＥＢ機能搭載機器の動作を示すフローチャートである。
【図３】該機器が提供するＷＥＢページの一例を示す画面図である。
【符号の説明】
【００１６】
１    ホームネットワークシステム
２    端末機
３    ＷＥＢ機能搭載機器
９    ＷＥＢデータ処理部
１３    トップページ
１４    ユーザーにトップページの適否を判断させるインターフェース
１５    表示特性選択ページ
１６    ユーザーに表示特性を選択させるメニュー
【図２】
2007280315.tif 000003
【図３】
2007280315.tif 000004
【図１】
2007280315.tif 000005